(57)【要約】　　　（修正有）【課題】光ディスクプレーヤの薄型化を図る。【解決手段】少なくとも、シャーシ１と、ピックアップのキャリッジを支持するガイド軸８と、シャーシ１に対しガイド軸８を位置調整する調整手段とを有する光ディスクプレーヤのスキュー調整装置１８において、ガイド軸８、またはガイド軸８を保持する可動部材に調整手段の一部を構成する圧縮コイルスプリング３９を保持する為の段差部分を設ける。圧縮コイルスプリング３９がこの段差部分に保持される為、圧縮コイルスプリング３９自体の厚さの影響を防ぎ、光ディスクプレーヤの薄型化を図ることができる。【選択図】　図１４
2004095143.tif 000002
【特許請求の範囲】
【請求項１】
シャーシと、
ピックアップのキャリッジを支持するガイド部材と、
前記シャーシに対し前記ガイド部材を位置調整する調整手段とを有する光ディスクプレーヤのスキュー調整装置において、
前記ガイド部材に少なくとも前記調整手段の一部を保持するための段差を設けたことを特徴とする光ディスクプレーヤのスキュー調整装置。
【請求項２】
シャーシと、
ピックアップのキャリッジを支持するガイド部材と、
前記ガイド部材を保持する可動部材と、
前記シャーシに対し前記ガイド部材を位置調整する調整手段とを有する光ディスクプレーヤのスキュー調整装置において、
前記可動部材に少なくとも前記調整手段の一部を保持するための段差を設けたことを特徴とする光ディスクプレーヤのスキュー調整装置。
【請求項３】
前記調整手段は弾性部材を含むことを特徴とする請求項１又は２に記載の光ディスクプレーヤのスキュー調整装置。
【請求項４】
前記調整手段の一部は前記弾性部材を含み、前記弾性部材は圧縮コイルスプリングであることを特徴とする請求項１乃至３記載の光ディスクプレーヤのスキュー調整装置。
【発明の詳細な説明】
【０００１】
【発明の属する技術分野】
本発明は、光ディスクプレーヤのスキュー調整装置に係り、より詳しくはピックアップの対物レンズの光軸とディスクとの位置関係を調整するためのスキュー調整装置に関する。
【０００２】
【従来の技術及び発明が解決しようとする課題】
光ディスクプレーヤにおいては読み取り対象であるディスクがＤＶＤ（デジタルビデオディスク）のように小さいピットを有するものである場合は、そのピックアップの対物レンズの光軸とディスク面との位置関係の許容範囲が狭くなる。そのため、ＤＶＤプレーヤ等の製造工程では、ピックアップのキャリッジやそのガイド軸等をシャーシに組み付けた後、ガイド軸の位置を微調整したり、ディスクのターンテーブルの位置を微調整したりするスキュー調整が必要とされる。例えばガイド軸を微調整する場合は、ピックアップの対物レンズの光軸がディスク面に垂直になるようにガイド軸の軸端を対物レンズの光軸方向に動かすのである。
【０００３】
従来、光ディスクプレーヤの製造時にキャリッジのガイド軸を動かして光軸の位置を調整するようにしたものに特願平１０−２２２００９号明細書に記載されるスキュー調整装置がある。これは、シャーシ上のブラケットに係止した圧縮コイルスプリングの下端とシャーシに螺合した調整ねじの先端とでガイド軸の軸端を上下から挟み、かつガイド軸の軸端をシャーシ上の軸受の縦溝で上下動可能に保持してなるものである。調整ねじをシャーシ上でシャーシの厚さ方向（上下方向）に螺進退させることでガイド棒の軸端をシャーシ上で上下方向に移動させ、これによりスキュー調整を行うようになっている。
【０００４】
しかし、このスキュー調整装置は、その図３からも明らかな様に、圧縮コイルスプリングが圧縮された状態においても、圧縮コイルスプリング自体の厚さがある為、薄型化に限界がある。殊にプレーヤがポータブル式の場合は薄型化を阻害するという問題がある。
【０００５】
【課題を解決するための手段】
上記の課題を解決するために、請求項１に記載の光ディスクプレーヤのスキュー調整装置は、シャーシと、ピックアップのキャリッジを支持するガイド部材と、前記シャーシに対し前記ガイド部材を位置調整する調整手段とを有する光ディスクプレーヤのスキュー調整装置において、前記ガイド部材に少なくとも前記調整手段の一部を保持するための段差を設けたことを特徴とする。
【０００６】
また、請求項２に記載の光ディスクプレーヤのスキュー調整装置は、シャーシと、ピックアップのキャリッジを支持するガイド部材と、前記ガイド部材を保持する可動部材と、前記シャーシに対し前記ガイド部材を位置調整する調整手段とを有する光ディスクプレーヤのスキュー調整装置において、前記可動部材に少なくとも前記調整手段の一部を保持するための段差を設けたことを特徴とする。
【０００７】
また、請求項３に記載の光ディスクプレーヤのスキュー調整装置は、請求項１又は２に記載の光ディスクプレーヤのスキュー調整装置において、前記調整手段は弾性部材を含むことを特徴とする。
【０００８】
また、請求項４に記載の光ディスクプレーヤのスキュー調整装置は、請求項１乃至３記載の光ディスクプレーヤのスキュー調整装置において、記調整手段の一部は前記弾性部材を含み、前記弾性部材は圧縮コイルスプリングであることを特徴とする。
【０００９】
【発明の実施の形態】
以下、本発明の実施の形態につき図面を参照して説明する。
【００１０】
図１乃至図３に示すように、この光ディスクプレーヤは、その骨格となるシャーシ１上にターンテーブル２、キャリッジ３等を備えている。
【００１１】
シャーシ１は、例えば金属板の打ち抜きプレス成形等により、図４及び図５に示すように概ね四角形の枠形に形成される。プレス等により得られたシャーシ１は水平な延在面１ａを有し、周縁には下方に向かって突出するリム１ｂを有する。この実施の形態におけるシャーシ１はポータブル用の光ディスクプレーヤに適した形状及び大きさに成形されている。図４及び図５中符号１ｄで示されるものはこのシャーシ１を図示しない光ディスクプレーヤの筐体内に固定するための腕を示している。
【００１２】
ターンテーブル２は、光ディスク４を載せるための円盤体であり、ターンテーブル駆動用モータ５により回転するようになっている。図１乃至図３に示すように、ターンテーブル２はターンテーブル駆動用モータ５及びその支持板６がシャーシ１に固定されることによりシャーシ１の中央開口部１ｃの前側の定位置に保持される。
【００１３】
キャリッジ３は、図１乃至図３に示すように、その中央部にピックアップの対物レンズ７を保持しており、シャーシ１の中央開口部１ｃ内に前後方向に移動可能に配置されている。
【００１４】
シャーシ１の中央開口部１ｃ内の左右両側には、キャリッジ３を前後方向に案内するためのガイド部材であるガイド軸８，９が夫々設けられている。一方のガイド軸８は丸棒であるが、他方のガイド軸９はスクリューシャフトを兼ねている。このようにガイド軸９がスクリューシャフトを兼ねるので、一本のガイド軸の省略が可能になり、それだけ光ディスクプレーヤの構造が小型軽量化され、殊に光ディスクプレーヤの左右方向の寸法が低減される。左右両ガイド軸８，９は、両ガイド軸８，９により案内されるキャリッジ３上の対物レンズ７の光軸がターンテーブル２又はターンテーブル２上の光ディスク４の回転中心線を含みシャーシ１の延在面１ａに垂直な面の上を移動するように平行に配置されている。キャリッジ３の左右からはフォーク状の腕片３ａ，３ｂが各ガイド軸８，９に向かって突出し、各ガイド軸８，９を上下から挟んでいる。また、キャリッジ３の右側からはナット片３ｃがスクリューシャフトを兼ねるガイド軸９の方へと突出し該ガイド軸９と螺合している。
【００１５】
スクリューシャフトを兼ねるガイド軸９はシャーシ１上にブラケット１０を介し固定されたキャリッジ駆動用モータ１１により回転するようになっており、該ガイド軸９と該モータ１１の出力軸１１ａとは原動歯車１２、二段の中間歯車１３及び従動歯車１４よりなる歯車列を介し動力的に連結されている。図６に示すように、原動歯車１２はモータ１１の出力軸１１ａに固定され、中間歯車１３は後述する可動部材１５に軸支され、従動歯車１４はガイド軸９に固定されている。キャリッジ駆動用モータ１１の起動によりガイド軸９が正転と逆転を繰り返すと、キャリッジ３は両ガイド軸８，９に沿ってシャーシ１上を前後方向に往復動し、キャリッジ３上の対物レンズ７がターンテーブル２上の光ディスク４をその半径方向に横切る。
【００１６】
既述のように対物レンズ７からの照射光で光ディスク４を走査する際、対物レンズ７の光軸が光ディスク４の記録面に垂直になるようにキャリッジ３を配置しなければならないが、そのような配置を確保するためこの光ディスクプレーヤはスキュー調整装置を備えている。
【００１７】
このスキュー調整装置は、シャーシ１に対しガイド軸８，９を位置調整することで対物レンズ７の光軸をスキュー調整する方式のものであって、図１，図２，図３，図６及び図７に示すように、各ガイド軸８，９の軸端近傍に夫々設けられている。すなわち、シャーシ１上右前に第一のスキュー調整装置１６、右後に第二のスキュー調整装置１７、左前に第三のスキュー調整装置１８、左後に第四のスキュー調整装置１９が夫々設けられている。第一と第二のスキュー調整装置１６，１７は右側のガイド軸９の調整用に設けられ、第三と第四のスキュー調整装置１８，１９は左側のガイド軸８の調整用に設けられている。第一から第四のスキュー調整装置１６，１７，１８，１９のうち一つは省略してもよく、また第一又は第二のスキュー調整装置１６，１７で他のスキュー調整装置を代替するようにしてもよい。
【００１８】
まず、第一のスキュー調整装置１６は、ガイド軸９の保持部である軸受２０を一端に有しシャーシ１への連結部２１を他端に有する可動部材１５がシャーシ１上に配置され、軸受２０を介してガイド軸９をシャーシ１の厚さ方向即ち上下方向に位置調整する調整手段のスキューネジ２２等がシャーシ１と可動部材１５との間に設けられ、軸受２０と、連結部２１と、調整手段のスキューネジ２２等とがシャーシ１の延在面１ａに沿うように平面的に配置された構成を備えている。
【００１９】
可動部材１５は、図３，図６，図７及び図９に示すように、シャーシ１の右前部の延在面１ａに合致するような輪郭を有した板状のブロック体である。
【００２０】
軸受２０はこの可動部材の左端に設けられている。この軸受２０は、図９に示すように、シャーシ１上で右から左へと伸びる横溝２０ａを有したフォーク状に形成され、該横溝２０ａ内にガイド軸９の一端がスライド可能に挿入されている。横溝２０ａの内面は中高に形成されており、ガイド軸９の横溝２０ａに垂直な面内での傾斜をも許容している。可動部材１５の軸受２０の近傍からはスラストバネ片２３が突出しており、このスラストバネ片２３の先端がガイド軸９の末端に接している。
【００２１】
可動部材１５の右端の連結部２１には回動軸２４が固定されている。回動軸２４はシャーシ１に対しその延在面１ａに平行に且つガイド軸９に平行に配置され、シャーシ１上に固定された上記ブラケット１０に回動可能に支持されている。これにより、図８に示すように、可動部材１５は回動軸２４を支点にしてシャーシ１の延在面１ａ上で往復角運動が可能であり、軸受２０を介しガイド軸９も同様な運動を行う。この往復角運動の角度がこの第一のスキュー調整装置１６により調整可能な量に対応する。
【００２２】
また、このスキュー調整に際しガイド軸９がシャーシ１の左右方向にずれることがないように、図７及び図１２に示すように、シャーシ１に上から下へと伸びる縦溝２５ａを有したフォーク状の軸受２５がシャーシ１に設けられ、該縦溝２５ａ内にガイド軸９の一端がスライド可能に挿入されている。これにより、ガイド軸９は横溝２０ａを有した軸受２０のほか縦溝２５ａを有した軸受２５によっても保持され、可動部材１５が回動軸２４を支点にして上下方向に回動したとしてもガイド軸９はシャーシ１の延在面１ａに垂直な面内を上下に移動するので、ガイド軸９により案内されるキャリッジ３上の対物レンズ７の光軸はスキュー調整量の如何を問わず略光ディスク４の半径線上を走行することになる。
【００２３】
なお、図８に示すように、スキュー調整の際に可動部材１５が回動軸２４を支点にして回動すると、原動歯車１２はシャーシ１上の定位置で回転し、ガイド軸９上の従動歯車１４がシャーシ１の延在面１ａに垂直に移動し、中間歯車１３は回動軸２４を中心にした円弧に沿って移動することから、歯車１２，１３，１４間にピッチずれを生ずるが、ピッチずれを生じてもモータ１１の出力軸１１ａとガイド軸９との間の速比が変化しないように各種歯車１２，１３，１４が形成され、配置されている。
【００２４】
調整手段は、図７及び図１０に示すように、シャーシ１の右前部分と可動部材１５との間に配置されたスキューネジ２２と弾性部材である圧縮コイルスプリング２６とで構成される。スキューネジ２２はシャーシ１にあけられたクリアランス孔２７に上から下に向かって挿入され、その頭部２２ａがシャーシ１の上面に当たることで停止し、ネジ部２２ｂがシャーシ１下の可動部材１５の雌ネジに螺合している。圧縮コイルスプリング２６はシャーシ１と可動部材１５との間に介装されることでスキューネジ２２の頭部２２ａがシャーシ１に常時接触して停止するように可動部材１５を付勢している。スキューネジ２２のネジ部２２ｂの下方を向いた先端には角孔２８が形成されており、この角孔２８に図示しない工具を挿入してスキューネジ２２をいずれかの向きに回すことでネジ部２２ｂは可動部材１５上を螺進退する。このスキューネジ２２の回転量に応じて可動部材１５はそのシャーシ１上での傾角を変え、可動部材１５に保持されたガイド軸９はシャーシ１の延在面１ａに垂直な面内で移動することになる。
【００２５】
上記した軸受２０、連結部２１及び調整手段は、図６，図７及び図１０に示すように、可動部材１５であるブロック上に平面的に割り付けられ、かつシャーシ１の延在面１ａに沿うように配置されている。殊に、調整手段のスキューネジ２２等はシャーシ１の延在面１ａ上においてガイド軸９及びその軸受２０の位置からずれるように配置されている。これにより、第一のスキュー調整装置１６は全体として薄くなり、光ディスクプレーヤの上下方向の厚さが低減される。
【００２６】
第二のスキュー調整装置１７は、図３，図６及び図７に示すように、第一のスキュー調整装置１６と同様に、ガイド軸９の軸受２９を一端に有しシャーシ１への連結部３０を他端に有する可動部材３１がシャーシ１上に配置され、軸受２９を介してガイド軸９をシャーシ１の厚さ方向即ち上下方向に位置調整する調整手段のスキューネジ２２等がシャーシ１と可動部材３１との間に設けられ、軸受２９と、連結部３０と、調整手段とがシャーシ１の延在面１ａに沿うように平面的に配置された構成を採用しているが、この可動部材３１は可撓性を有しており、調整手段により可動部材３１を撓ませることでガイド部材９の位置調整を行うようになっている。
【００２７】
可動部材３１は、図３，図６，図７及び図１１に示すように、角棒状のブロック体であり、合成樹脂により一体成形されている。可動部材３１はシャーシ１の右後部の裏面に取り付けられている。
【００２８】
軸受２９は、図１１に示すように、この可動部材３１の後端にガイド軸９の他端が挿入される凹溝を有している。ガイド軸９の他端はこの軸受２９と第一のスキュー調整装置１６の軸受２０，２５とで両端支持される。
【００２９】
連結部３０は可動部材３１の後部に設けられ、可動部材３１はこの連結部３０がシャーシ１に止めネジ３３及びピン３４で固定されることによりシャーシ１上に保持されている。
【００３０】
可動部材３１の軸受２９と連結部３０との間には上下二枚の板バネ部３５が形成されている。図３，図６及び図７に示すように、可動部材３１の板バネ部３５はガイド軸９に平行で且つシャーシ１の延在面１ａに垂直な面に沿って撓むようになっている。これにより、この可動部材３１の軸受２９の箇所を下方に押したり解放したりすると軸受２９はシャーシ１下で略水平状態を保持したまま上下に平行移動する。この平行移動量がこの第二のスキュー調整装置１７による調整可能な量に対応する。
【００３１】
また、このスキュー調整に際しガイド軸９がシャーシ１の左右方向にずれることがないように、図１３に示すように、上から下へと伸びる縦溝３６ａを有したフォーク状の軸受３６がシャーシ１下に設けられ、該縦溝３６ａ内にガイド軸９の一端がスライド可能に挿入されている。これにより、ガイド軸９は上記軸受２９のほか縦溝３６ａを有した軸受３６によっても規制され、可動部材３１が上下方向に変形する際ガイド軸９はシャーシ１の延在面１ａに垂直な面内を上下に移動するので、ガイド軸９により案内されるキャリッジ３上の対物レンズ７はスキュー調整量の如何を問わず略光ディスク４の半径線上を走行することになる。
【００３２】
この調整手段は、図７及び図１０に示すように、シャーシ１の右後部分と可動部材３１の軸受２９より先の端部との間に配置される。この調整手段は、第一のスキュー調整装置１６における調整手段と同様な構成であるから、同一部分には同一の符号を付して表すこととし、その詳細な説明は省略する。この調整手段のスキューネジ２２を回すと、このスキューネジ２２の回転量に応じて可動部材３１はシャーシ１下で上下に平行移動し、可動部材３１に保持されたガイド軸９の他端はシャーシ１の延在面１ａに垂直な面上を同様に移動することになる。
【００３３】
上記した軸受２９、連結部３０及び調整手段は、図６，図７，図１０及び図１１に示すように、可動部材３１であるブロック上にその長さ方向に沿って平面的に割り付けられ、かつシャーシ１の延在面１ａに沿うように配置されている。殊に、調整手段のスキューネジ２２等はシャーシ１の延在面１ａ上においてガイド軸９及びその軸受２９の位置からずれるように配置されている。これにより、第二のスキュー調整装置１７は全体として薄くなり、光ディスクプレーヤの上下方向の厚さが低減される。
【００３４】
第三と第四のスキュー調整装置１８，１９は、図７，図１４及び図１５に示すように、第一と第二のスキュー調整装置１６，１７における可動部材１５，３１、軸受２０，２９等が省略され、調整手段に相当するもののみを備えている。
【００３５】
第三のスキュー調整装置１８は、シャーシ１の左前部分とガイド軸８の前端との間に配置されたスキューネジ３８と弾性部材である圧縮コイルスプリング３９とで構成される。スキューネジ３８はシャーシ１にあけられたクリアランス孔４０に上から下に向かって挿入され、その頭部３８ａがシャーシ１の上面に当たることで停止し、ネジ部３８ｂがシャーシ１下のガイド軸８の前端に形成された雌ネジに螺合している。圧縮コイルスプリング３９はシャーシ１とガイド軸８との間に介装されることでスキューネジ３８の頭部３８ａがシャーシ１に常時接触して停止するようにガイド軸８をシャーシ１の下方へと付勢している。スキューネジ３８のネジ部３８ｂの下方を向いた先端には角孔４１が形成されており、この角孔４１に図示しない工具を挿入してスキューネジ３８をいずれかの向きに回すことでネジ部３８ｂはガイド軸８上を相対的に螺進退する。このスキューネジ３８の回転量に応じてガイド軸８はシャーシ１の延在面１ａに垂直な面内で傾斜することになる。
【００３６】
第四のスキュー調整装置１９は、シャーシ１の左後部分とガイド軸８の後端との間に配置される。この調整手段は第三のスキュー調整装置１８と同じ構成であるから同一部分には同一符号を付して表すこととし、その詳細な説明は省略する。この調整装置１９のスキューネジ３８をいずれかの向きに回すことでガイド軸８は第三のスキュー調整装置１８による調整の場合とは逆向きに傾斜することになる。
【００３７】
次に、上記構成のスキュー調整装置によるスキュー調整方法について説明する。
【００３８】
この光ディスクプレーヤが例えば図１の状態に組立てられた段階で、シャーシ１を公知のスキュー調整用機械に水平に装填する。スキュー調整用機械はシャーシ１の裏側から突出する四本のスキューネジ２２，２２，３８，３８の各角孔２８，２８，４１，４１内に工具を差し込んで各スキューネジ２２，２２，３８，３８をいずれかの向きに回してガイド軸８，９の高さ調整と平行出しを行う。
【００３９】
その後、光ディスク４をターンテーブル２上にセットし、キャリッジ駆動用モータ１１を始動させてキャリッジ３を光ディスク４下でその半径方向に移動させる。その間キャリッジ３上の対物レンズ７は光ディスク４の記録面上の情報を読み取りつつその信号をスキュー調整用機械に送る。スキュー調整用機械はその読み取られた情報のジッターを測定し、ジッターメータの値が最小になるように四本のスキューネジ２２，２２，３８，３８を各々いずれかの向きに回してスキュー調整を行う。
【００４０】
その場合、第一のスキュー調整装置１６のスキューネジ２２が回されると、可動部材１５がシャーシ１下で回動軸２４を支点にして上下に回動し、右側のガイド軸９の前端は後側の軸受２９を支点にしてシャーシ１の延在面１ａに垂直な面内を上下動する。また、第二のスキュー調整装置１７のスキューネジ２２が回されると、可動部材３１がシャーシ１下で上下に変形し、右側のガイド軸９の後端は前側の軸受２０を支点にしてシャーシ１の延在面１ａに垂直な面内を上下動する。さらに、第三のスキュー調整装置１８のスキューネジ３８が回されると、左側のガイド軸８の前端が後側のスキューネジ３８を支点にしてシャーシ１の延在面１ａに垂直な面内を上下動する。また、第四のスキュー調整装置１９のスキューネジ３８が回されると、左側のガイド軸９の後端は前側のスキューネジ３８を支点にしてシャーシ１の延在面１ａに垂直な面内を上下動する。
【００４１】
所定のスキュー調整が完了すると、ガイド軸８，９に支えられたキャリッジ３上の対物レンズ７の光軸は光ディスク４の記録面に対し垂直になり、適正な情報の読み取りが可能になる。
【００４２】
【発明の効果】
本発明によれば、適正なスキュー調整を行うことができることは勿論のこと、調整手段を形成する弾性部材である圧縮コイルスプリングが、ガイド軸、またはガイド軸を保持する可動部材に設けられた段差部分に保持される為、圧縮コイルスプリング自体の厚さの影響を防ぎ、よって光ディスクプレーヤの薄型化を図ることができる。
【図面の簡単な説明】
【図１】本発明に係るスキュー調整装置を備えた光ディスクプレーヤのシャーシ周辺部を示す平面図である。
【図２】図１に示したシャーシ周辺部の拡大図である。
【図３】図２に示したシャーシ周辺部の底面図である。
【図４】シャーシの平面図である。
【図５】図４に示したシャーシの左側面図である。
【図６】図２中シャーシ及びターンテーブルを省略して示す平面図である。
【図７】図２中ターンテーブルを省略して示す平面図である。
【図８】図７中ＶＩＩＩ−ＶＩＩＩ線矢視図である。
【図９】可動部材を歯車列側から見た側面図である。
【図１０】図７中Ｘ−Ｘ線矢視図である。
【図１１】他の可動部材を示し、（Ａ）は平面図、（Ｂ）は正面図である。
【図１２】図７中ＸＩＩ−ＸＩＩ線矢視図である。
【図１３】図７中ＸＩＩＩ−ＸＩＩＩ線矢視図である。
【図１４】図７中ＸＩＶ−ＸＩＶ線矢視図である。
【図１５】図７中ＸＶ−ＸＶ線矢視図である。
【符号の説明】
１…シャーシ
１ａ…シャーシの延在面
３…キャリッジ
９…ガイド軸
１５，３１…可動部材
１６，１７…スキュー調整装置
２０，２９…軸受
２１，３０…連結部
２２…スキューネジ
２４…回動軸
２６…圧縮コイルスプリング
【図１】
2004095143.tif 000003
【図２】
2004095143.tif 000004
【図３】
2004095143.tif 000005
【図４】
2004095143.tif 000006
【図５】
2004095143.tif 000007
【図６】
2004095143.tif 000008
【図７】
2004095143.tif 000009
【図８】
2004095143.tif 000010
【図９】
2004095143.tif 000011
【図１０】
2004095143.tif 000012
【図１１】
2004095143.tif 000013
【図１２】
2004095143.tif 000014
【図１３】
2004095143.tif 000015
【図１４】
2004095143.tif 000016
【図１５】
2004095143.tif 000017
【手続補正書】
【提出日】平成15年7月15日(2003.7.15)
【手続補正１】
【補正対象書類名】明細書
【補正対象項目名】請求項４
【補正方法】変更
【補正の内容】
【請求項４】
前記調整手段の一部は前記弾性部材を含み、前記弾性部材は圧縮コイルスプリングであることを特徴とする請求項１乃至３いずれか１に記載の光ディスクプレーヤのスキュー調整装置。
【手続補正２】
【補正対象書類名】明細書
【補正対象項目名】０００８
【補正方法】変更
【補正の内容】
【０００８】
また、請求項４に記載の光ディスクプレーヤのスキュー調整装置は、請求項１乃至３いずれか１に記載の光ディスクプレーヤのスキュー調整装置において、前記調整手段の一部は前記弾性部材を含み、前記弾性部材は圧縮コイルスプリングであることを特徴とする。